(57)【特許請求の範囲】
【請求項１】
ＰＯＮ方式の光通信システムにおいて親機（１０）と複数の子機（１２1〜１２32）とを接続する光ケーブルの断線事故の復旧後に該親機と該複数の子機とを再接続するためのＰＯＮ方式における再接続方法であって、
前記複数の子機に、チャンネル番号を登録するためのメモリが内蔵されており、
前記複数の子機が、前記メモリに登録されているチャンネル番号を消去するステップ（Ｓ１１）と、
前記複数の子機が、所定の１つのチャンネル番号に基づいて信号を前記親機に一斉に送信するステップ（Ｓ１２）と、
前記親機が、前記複数の子機から前記所定の１つのチャンネル番号に基づいて前記信号が一斉に送信されてくると、該複数の子機にチャンネル重複エラー信号を送信するステップ（Ｓ１３）と、
前記複数の子機が、前記親機から前記チャンネル重複エラー信号を受信すると、前記所定の１つのチャンネル番号に基づいて信号を該親機にランダムに再送信するステップ（Ｓ１４）と、
前記親機が、前記複数の子機から再送信されてくる前記信号を受信した順番に、該複数の子機に対してチャンネル番号を所定の順番に自動的に割り当てていって再接続処理を行うとともに、該自動的に割り当てたチャンネル番号を該複数の子機に通知するステップ（Ｓ１５）と、
前記複数の子機が、前記親機から通知されたチャンネル番号を前記メモリに登録するステップ（Ｓ１６）とを具備し、
前記複数の子機が、以後は前記親機から通知されたチャンネル番号に基づいて該親機との間の通信を行う、
ことを特徴とする、ＰＯＮ方式における再接続方法。
【請求項２】
前記所定のチャンネル番号が、最も大きいチャンネル番号であり、
前記所定の順番が、チャンネル番号の小さい順である、
ことを特徴とする、請求項１記載のＰＯＮ方式における再接続方法。
【発明の詳細な説明】
【技術分野】
【０００１】
本発明は、ＰＯＮ方式における再接続方法に関し、特に、ＰＯＮ方式の光通信システムにおいて親機と子機とを接続する光ケーブルの断心などの事故の復旧後に親機と子機とを再接続するのに好適なＰＯＮ方式における再接続方法およびチャンネル割当管理方法に関する。
【背景技術】
【０００２】
従来、ＰＯＮ方式による光通信システムでは、チャンネル番号を固定して親機（収容局装置）と子機との間の通信を行うことがなされているが、加入者ごとにチャンネル番号を管理しておかなければならないため、設計システムと管理システムとを別システムにする必要があった。
また、収容変更となった場合には、チャンネル番号が固定されているため、チャンネルを考慮した設計が必要であった。
そこで、子機のチャンネル番号を自動的に割り当てることも行われている。
【０００３】
なお、下記の特許文献１には、光パケット送受信器を接続し直した場合でもユーザに負担のかかることのないようにするために、光パケット送受信器が、自光パケット送受信器に割り当てられている送信波長情報を端末に送信し、端末が、送信波長情報が一つ前のものと異なっていた場合や、相手端末へのコネクション接続情報に対する相手端末からの応答が無い場合、光パケット送受信器に対して、受信波長のスキャンを指示すると同時に、端末が、光パケット送受信器に対して、相手端末に対して再接続メッセージを送信し、相手端末よりこのメッセージの応答を受信した場合は、この受信波長を光パケット送受信器の受信波長として設定する波長多重光通信ネットワークシステムが開示されている。
【特許文献１】特開平１０−３２２３７５号公報
【発明の開示】
【発明が解決しようとする課題】
【０００４】
しかしながら、上述した子機へのチャンネル自動割当では、光ケーブルの断線などの事故が生じるたびにチャンネル番号が切り替わるため、障害時におけるチャンネル番号の把握が困難であるという問題があった。
【０００５】
本発明の目的は、子機へのチャンネル自動割当を行っても、障害復旧時に確実に再接続ができるとともに、チャンネル番号の把握が容易にできるＰＯＮ方式の再接続方法を提供することにある。
【課題を解決するための手段】
【０００６】
本発明のＰＯＮ方式における再接続方法は、ＰＯＮ方式の光通信システムにおいて親機（１０）と複数の子機（１２1〜１２32）とを接続する光ケーブルの断線事故の復旧後に該親機と該複数の子機とを再接続するためのＰＯＮ方式における再接続方法であって、前記複数の子機に、チャンネル番号を登録するためのメモリが内蔵されており、前記複数の子機が、前記メモリに登録されているチャンネル番号を消去するステップ（Ｓ１１）と、前記複数の子機が、所定の１つのチャンネル番号に基づいて信号を前記親機に一斉に送信するステップ（Ｓ１２）と、前記親機が、前記複数の子機から前記所定の１つのチャンネル番号に基づいて前記信号が一斉に送信されてくると、該複数の子機にチャンネル重複エラー信号を送信するステップ（Ｓ１３）と、前記複数の子機が、前記親機から前記チャンネル重複エラー信号を受信すると、前記所定の１つのチャンネル番号に基づいて信号を該親機にランダムに再送信するステップ（Ｓ１４）と、前記親機が、前記複数の子機から再送信されてくる前記信号を受信した順番に、該複数の子機に対してチャンネル番号を所定の順番に自動的に割り当てていって再接続処理を行うとともに、該自動的に割り当てたチャンネル番号を該複数の子機に通知するステップ（Ｓ１５）と、前記複数の子機が、前記親機から通知されたチャンネル番号を前記メモリに登録するステップ（Ｓ１６）とを具備し、前記複数の子機が、以後は前記親機から通知されたチャンネル番号に基づいて該親機との間の通信を行うことを特徴とする。
ここで、前記所定のチャンネル番号が、最も大きいチャンネル番号であり、前記所定の順番が、チャンネル番号の小さい順であってもよい。
【発明の効果】
【０００７】
本発明のＰＯＮ方式における再接続方法は、親機が複数の子機からランダムに再送信されてくる信号を受信した順番に複数の子機に対してチャンネル番号を所定の順番に自動的に割り当てていって再接続処理を行うので、子機へのチャンネル自動割当を行っても、障害復旧時に確実に再接続ができるとともに、チャンネル番号の把握が容易にできるという効果を奏する。
【発明を実施するための最良の形態】
【０００８】
上記の目的を、複数の子機が、所定のチャンネル番号に基づいて信号を親機に一斉に送信したのちに親機からチャンネル重複エラー信号を受信すると、この所定のチャンネル番号に基づいて信号を該親機にランダムに再送信し、親機が、複数の子機から再送信されてくる信号を受信した順番に複数の子機に対してチャンネル番号を所定の順番に自動的に割り当てていって再接続処理を行うことにより実現した。
【実施例１】
【０００９】
以下、本発明のＰＯＮ方式における再接続方法の実施例について、図面を参照して説明する。
本発明の一実施例によるＰＯＮ方式における再接続方法について、図１に示すように、親機１０のＡポート（最大チャンネル数＝３２）に光カプラ１１を介して第１乃至第３２の子機１２1〜１２32が接続されている場合を例として、図２に示すフローチャートを参照して説明する。
なお、第１乃至第３２の子機１２1〜１２32はそれぞれ、親機１０から既に割り当てられているチャンネル番号を登録するためのメモリ（不図示）を内蔵している。また、第１乃至第３２の子機１２1〜１２32には、第１乃至第３２のパーソナルコンピュータ１３1〜１３32がそれぞれ接続されている。
【００１０】
親機１０と光カプラ１１とを接続する光ケーブルの断線事故が生じ、この断線事故の復旧後に親機１０と第１乃至第３２の子機１２1〜１２32とを再接続するときには、第１乃至第３２の子機１２1〜１２32は、内蔵のメモリに登録されているチャンネル番号を消去する（図２のステップＳ１１）。
【００１１】
その後、第１乃至第３２の子機１２1〜１２32は、親機１０のＡポートの最も大きいチャンネル番号“３２”に基づいて信号を親機１０に一斉に送信する（ステップＳ１２）。
【００１２】
第１乃至第３２の子機１２1〜１２32からチャンネル番号“３２”に基づいて信号が一斉に送信されてくると同一チャンネル番号に基づく信号が衝突してエラーとなるため、親機１０は第１乃至第３２の子機１２1〜１２32のいずれにも接続することができない。そこで、親機１０は、第１乃至第３２の子機１２1〜１２32にチャンネル重複エラー信号を送信する（ステップＳ１３）。
【００１３】
第１乃至第３２の子機１２1〜１２32は、親機１０からのチャンネル重複エラー信号を受信すると、チャンネル番号“３２”に基づいて信号を親機１０にランダムに再送信する（ステップＳ１４）。
【００１４】
親機１０は、第１乃至第３２の子機１２1〜１２32から再送信されてくる信号を受信した順番に、第１乃至第３２の子機１２1〜１２32に対してチャンネル番号“１”〜“３２”を若番から（チャンネル番号の小さい順に）自動的に割り当てていって再接続処理を行うとともに、自動的に割り当てたチャンネル番号を第１乃至第３２の子機１２1〜１２32にそれぞれ通知する（ステップＳ１５）。
【００１５】
第１乃至第３２の子機１２1〜１２32はそれぞれ、親機１０からチャンネル番号が通知されると、通知されたチャンネル番号を内蔵のメモリに登録する（ステップＳ１６）。第１乃至第３２の子機１２1〜１２32は、以後はこのチャンネル番号に基づいて親機１０との間の通信を行う。
【００１６】
以上の説明においては、ステップＳ１２において、第１乃至第３２の子機１２1〜１２32は、親機１０のＡポートの最も大きいチャンネル番号“３２”に基づいて信号を親機１０に一斉に送信したが、たとえば、Ａポートの最も小さいチャンネル番号“１”に基づいて信号を親機１０に一斉に送信してもよい。この場合には、第１乃至第３２の子機１２1〜１２32は、親機１０からチャンネル重複エラー信号を受信すると、チャンネル番号“１” に基づいて信号を親機１０にランダムに送信する。
また、ステップＳ１６において、親機１０は、第１乃至第３２の子機１２1〜１２32に対してチャンネル番号“１”〜“３２”を若番から割り当てていって再接続処理を行ったが、チャンネル番号“１”〜“３２”をチャンネル番号の大きい順に割り当てていって再接続処理を行ってもよい。
【産業上の利用可能性】
【００１７】
以上説明したように、本発明のＰＯＮ方式における再接続方法は、たとえば、ＰＯＮ方式の光通信システムにおいて親機と子機とを接続する光ケーブルの断心などの事故の復旧後に親機と子機とを再接続するのに利用することができる。
【図面の簡単な説明】
【００１８】
【図１】本発明の一実施例によるＰＯＮ方式における再接続方法を説明するためのシステム構成図である。
【図２】本発明の一実施例によるＰＯＮ方式における再接続方法を説明するためのフローチャートである。
【符号の説明】
【００１９】
１０  親機
１１  光カプラ
１２1〜１２32  第１乃至第３２の子機
１３1〜１３32  第１乃至第３２のパーソナルコンピュータ
Ｓ１１〜Ｓ１６  ステップ
【図１】
0004671907.tif 000002
【図２】
0004671907.tif 000003